(57)【要約】【課題】エンジン３３とラジエータ３７の上方にエアクリーナ４０を設けてこれ等をエンジンカバーによって覆う場合に、藁屑等の塵埃や高温となるエンジンの冷却排風を極力含まない外気をエアクリーナに供給すると共に、エアクリーナのエンジンカバー内への収容方法を見直し、これらのカバーやフレームを簡素化してコスト低減を図り、更にはエンジン等のメンテナンス性を向上させることができるコンバインを提供する。【解決手段】エアクリーナ４０の後方にその後方から外気を取り込む吸気室Ｒを設け、この吸気室Ｒの吹出口７４ｈにエアクリーナ４０の吸気口４０ｅを結合して、吸気室Ｒの後方から取り込んだ外気をエアクリーナ４０によって清浄化してエンジン３３に供給する。【選択図】図１３
2020103109.tif 000002
【特許請求の範囲】
【請求項１】
機体フレームの左右方向に併設するエンジンとラジエータの上方にエアクリーナを設け、これらエンジンとラジエータとエアクリーナを覆うエンジンカバーの前方に運転席を備える操縦部を設けるコンバインにおいて、前記エアクリーナの後方にその後方から外気を取り込む吸気室を設け、この吸気室の吹出口にエアクリーナの吸気口を結合して、吸気室の後方から取り込んだ外気をエアクリーナによって清浄化してエンジンに供給することを特徴とするコンバイン。
【請求項２】
前記エンジンとラジエータとエアクリーナの機体後方側を覆う後部カバーの上部寄りに、後部カバーの後方の外気を取り込む取入口を備えるエアダクトを取り付けて吸気室を構成することを特徴とする請求項１に記載のコンバイン。
【請求項３】
前記後部カバーとその後方に設けるグレンタンクの前面との間に遮蔽体を設け、この遮蔽体によってエンジンの冷却後の排風のエアダクト内への回り込みを少なくすることを特徴とする請求項２に記載のコンバイン。
【請求項４】
前記エアダクトの取入口に防塵体を設けることを特徴とする請求項２又は請求項３に記載のコンバイン。
【請求項５】
前記エアダクトの取入口に設ける防塵体とエアクリーナの吸気口との間に抵抗板を設け、この抵抗板によってエアクリーナの吸気口の直前面側からの吸気量を抑制して防塵体の局所的な目詰まりを防止することを特徴とする請求項４に記載のコンバイン。
【請求項６】
前記エアクリーナは、そのケーシングに設けるフィルタ取出口が機体外側方を向き、また、先端に吸気口を備える吸気管が機体後方を向くようにエンジンとラジエータの上方に設けると共に、このフィルタ取出口を蓋するキャップとラジエータの前面側を開閉自在な側部カバーで覆うことを特徴とする請求項１から請求項５までの何れか１項に記載のコンバイン。
【請求項７】
前記エアダクトを六面体の一面を開放する角ダクトに構成すると共に、エアクリーナのフィルタ取出口を蓋するキャップに臨む角ダクトの一面を斜め外側方に向けて拡開させることを特徴とする請求項６に記載のコンバイン。
【請求項８】
前記エアクリーナをエンジンカバーを取り付けるカバーフレームに着脱自在に取り付けると共に、その吸気管を吸気室の吹出口に抜き差し自在に設け、また、エアクリーナホースをエンジンの吸気管に着脱自在に設け、さらに、このエアクリーナホースと共に取り外したエアクリーナをエンジン等の機体前方側を覆う前部カバーを取り外した点検口から取り出せるように構成することを特徴とする請求項１から請求項７までの何れか１項に記載のコンバイン。
【請求項９】
前記エアクリーナの吐出管からエンジンの吸気管にエアを導くエアクリーナホースを、エアクリーナ本体の長手方向となる幅内に納まる略直線的な吸気経路に形成することを特徴とする請求項８に記載のコンバイン。
【発明の詳細な説明】
【技術分野】
【０００１】
本発明は、自脱型や汎用型のコンバインに係り、詳しくは、機体フレームの左右方向に併設するエンジンとラジエータの上方にエアクリーナを設け、これらエンジン等を覆うエンジンカバーの前方に運転席を備える操縦部を設けるコンバインに関する。
【背景技術】
【０００２】
農業用の作業車輌であるコンバインは、クローラ式の走行装置を下部に備える機体フレームの右側に水冷式のディーゼルエンジンを、そのクランクシャフトが左右方向を向くように搭載し、機体フレームの前方や左側に設ける刈取部や脱穀部等の機体各部を駆動する。また、このエンジンは、クーリングファンの前方にエンジンの冷却水を冷却するラジエータを併設し、さらに、エンジンとラジエータの上方にエンジンに清浄な空気を供給するエアクリーナを設ける。
【０００３】
また、このようにエンジンとラジエータとエアクリーナ等から構成する原動部を機体フレームの右側に設けるコンバインは、その原動部をエンジンカバーによって覆い、このエンジンカバーの前方に運転席を備える操縦部を設け、また、エンジンカバーの後方に刈取部によって刈り取って脱穀部によって脱穀した穀粒を貯留するグレンタンクを設ける。
【０００４】
そして、この場合、エンジンはそのクーリングファンによって機体右側から吸引した冷却風をラジエータに作用させてエンジンの冷却水を冷却すると共に、冷却水を冷却した後の排風をエンジンの周囲を通過させてエンジン自体を更に冷却しながら、エンジンカバーを設けないエンジンの左側方或いはエンジンの下方から機外に抜けるように構成する。
【０００５】
そのため、機外に排出する排風は外気より相当高温となっており、この排風が機体の中央寄りに設ける走行装置等の伝動装置や左側に設ける脱穀部に当たって吹き返り、その吹き返った排風がエアクリーナに取り込まれると、エンジンは高温のエアを吸引することになって、エンジン性能に影響を及ぼし、場合によってはエンジンのコンバインへの搭載条件を満たさなくなる虞がある。
【０００６】
また、稲や大豆等を刈り取って収穫するコンバインは、その刈取走行作業に伴って発生する藁屑等を含む塵埃の発生が多い環境で使用する。そのため、この塵埃をそのままエアクリーナが吸い込むとエアフィルタの目詰まりが進み、これによって吸気圧が低下してエンジン性能に悪影響を及ぼすから、エアフィルタの掃除やエアフィルタの交換を頻繁に行う必要が生ずる。
【０００７】
そこで、これを解消すべくエアクリーナの上流側にプレクリーナ等を設け、このプレクリーナを例えば、原動部から相当離した高所に設け、エンジンを冷却した後の排風を含まず、また、塵埃の少ない外気を取り込めるように設けることが行われている（特許文献１参照）。しかし、このように構成するとプレクリーナやエアクリーナにエアを導く吸気パイプが必要となり、しかも、プレクリーナを高所に取り付けるための部材費が嵩み、吸気量の多い大型のコンバインにおいてのみ採用される。
【０００８】
そのため、エンジンの吸気量のあまり多くないコンバインでは、エンジンやラジエータの上方にこれらエンジン等とは隔絶した状態で吸気室を設け、この吸気室にエアクリーナを収容して、吸気室の機体右外方側に設ける防塵体を備える取入口から取り込んだ外気を、エアクリーナの吸気管の先端の吸気口から取り入れる構造を採用し、これによってエンジンの排風を含まず、また、塵埃の比較的少ない外気をエアクリーナに取り込めるようにしている。
【０００９】
なお、エアクリーナの吸気作用に伴って発生する騒音の減少を目的として、内部にエンジンとラジエータとを収納するエンジンルームの上側に、後側を防塵網とし外側に開閉板を有し、その他の部分を側板で囲んで構成する吸気室を設ける。
【００１０】
また、この吸気室にエアクリーナを内装して、エアパイプはその一端部をエアクリーナに連通させ他端部を下方のエンジンルームに内装したエンジンに連通させ、エンジンにエアを吸引させる構成とする。また、吸気管は、基部をエアクリーナに連通させ、先端を開口して後方の防塵網の内側に接近させて設けるか、或いは防塵網の外側に位置させて設けることが知られている（特許文献２参照）。
【先行技術文献】
【特許文献】
【００１１】
【特許文献１】特開２０１７−２１６９４５号公報
【特許文献２】特開平５−３１６８５４号公報
【発明の概要】
【発明が解決しようとする課題】
【００１２】
前述のようにコンバインでは、機体フレームの右側に操縦部と原動部、また、原動部の後方にグレンタンクを設け、その内、原動部を構成するエンジンとラジエータ及びエアクリーナは、その周囲をエンジンカバーで覆い、また、エアクリーナはエンジンやラジエータの上方にこれ等とは隔絶した吸気室に収容して設ける。さらに、吸気室に設けるエアクリーナは、その吸気口を吸気室内において開放して吸気室内に取り込まれる外気を直接取り込んだり、高所に設けるプレクリーナに接続してプレクリーナに取り込まれる外気を取り込む。
【００１３】
そして、エアクリーナを収容する吸気室は、下方に設けるエンジンやラジエータ、また、エンジンを冷却した排風からの熱的影響を遮り、また、高温となった冷却排風をエアクリーナが直接吸い込まないように、或いは高温となった冷却排風が吸気室の外気の取入口やエアクリーナの点検口から逆に吹き出さないように密閉した空間に構成する必要がある。
【００１４】
従って、エンジンカバーで周囲を覆ったエンジンルーム内に更にエアクリーナを収容する密閉した吸気室を形成するためには、エンジンやラジエータとエアクリーナとの間に少なくとも３面以上を備えた仕切板を設けて両者を隔絶しなければならず、エンジンカバーを取り付ける骨格となるエンジンフレームにも仕切板を取り付ける梁等が当然に必要になって、それらの加工費が増えたり部材費が増え、また、全体の重量もそれに伴って増大することになる。
【００１５】
一方、コンバインに搭載するディーゼルエンジンは、近年のエンジンの排気ガス規制の強化に伴って、完全燃焼で発生する窒素酸化物や不完全燃焼で発生する煤などの粒子状物質の発生を低減するコモンレール式燃料噴射システム、過給機、及び排出ガス再循環システム（ＥＧＲ）を採用し、また、エンジン本体で浄化し切れなかった窒素酸化物や粒子状物質を、ディーゼル酸化触媒（ＤＯＣ）とディーゼル微粒子捕集フィルター（ＤＰＦ）等の排気ガス浄化装置を用いて除去する。
【００１６】
そのため、エンジンは高度化した各装置の点検・交換修理のためのメンテナンス頻度が増加する傾向にあり、例えば、エンジンの上面側に設ける排出ガス再循環システムの配管及びＥＧＲクーラーホース、インテークマニホールド、イグゾーストマニホールド、或いはエアクリーナの吐出管に設ける吸入空気量を測定するエアフローセンサ等の定期的な点検や交換を必要とする。そして、これ等の点検・交換修理を行うためには、エンジンカバーを取り外してエンジンを露出させたり、エアクリーナを取り外す必要がある。
【００１７】
しかし、エンジンとラジエータの上方にエアクリーナを収容する吸気室を設けると、特にエンジンの上方が吸気室の底板やカバーフレームの梁等によって蓋されて、エンジンカバーの一部を取り外してもエンジンの上方を直ちに開放することができないと共に、エアクリーナにしても吸気室から簡単に取り外すことができず、これ等のメンテナンス性に問題があった。
【００１８】
そこで、本発明は、上記のような問題点に鑑み、エンジンとラジエータの上方にエアクリーナを設けてこれ等をエンジンカバーによって覆う場合に、藁屑等の塵埃や高温となるエンジンの冷却排風を極力含まない外気をエアクリーナに供給すると共に、エアクリーナのエンジンカバー内への収容方法を見直し、これらのカバーやフレームを簡素化してコスト低減を図り、更にはエンジン等のメンテナンス性を向上させることができるコンバインを提供することを課題とする。
【課題を解決するための手段】
【００１９】
本発明は、上記課題を解決するため第１に、機体フレームの左右方向に併設するエンジンとラジエータの上方にエアクリーナを設け、これらエンジンとラジエータとエアクリーナを覆うエンジンカバーの前方に運転席を備える操縦部を設けるコンバインにおいて、前記エアクリーナの後方にその後方から外気を取り込む吸気室を設け、この吸気室の吹出口にエアクリーナの吸気口を結合して、吸気室の後方から取り込んだ外気をエアクリーナによって清浄化してエンジンに供給することを特徴とする。
【００２０】
本発明は第２に、前記エンジンとラジエータとエアクリーナの機体後方側を覆う後部カバーの上部寄りに、後部カバーの後方の外気を取り込む取入口を備えるエアダクトを取り付けて吸気室を構成することを特徴とする。また、本発明は第３に、前記後部カバーとその後方に設けるグレンタンクの前面との間に遮蔽体を設け、この遮蔽体によってエンジンの冷却後の排風のエアダクト内への回り込みを少なくすることを特徴とする。さらに、本発明は第４に、前記エアダクトの取入口に防塵体を設けることを特徴とする。
【００２１】
本発明は第５に、前記エアダクトの取入口に設ける防塵体とエアクリーナの吸気口との間に抵抗板を設け、この抵抗板によってエアクリーナの吸気口の直前面側からの吸気量を抑制して防塵体の局所的な目詰まりを防止することを特徴とする。
【００２２】
本発明は第６に、前記エアクリーナは、そのケーシングに設けるフィルタ取出口が機体外側方を向き、また、先端に吸気口を備える吸気管が機体後方を向くようにエンジンとラジエータの上方に設けると共に、このフィルタ取出口を蓋するキャップとラジエータの前面側を開閉自在な側部カバーで覆うことを特徴とする。
【００２３】
本発明は第７に、前記エアダクトを六面体の一面を開放する角ダクトに構成すると共に、エアクリーナのフィルタ取出口を蓋するキャップに臨む角ダクトの一面を斜め外側方に向けて拡開させることを特徴とする。
【００２４】
本発明は第８に、前記エアクリーナをエンジンカバーを取り付けるカバーフレームに着脱自在に取り付けると共に、その吸気管を吸気室の吹出口に抜き差し自在に設け、また、エアクリーナホースをエンジンの吸気管に着脱自在に設け、さらに、このエアクリーナホースと共に取り外したエアクリーナをエンジン等の機体前方側を覆う前部カバーを取り外した点検口から取り出せるように構成することを特徴とする。
【００２５】
本発明は第９に、前記エアクリーナの吐出管からエンジンの吸気管にエアを導くエアクリーナホースを、エアクリーナ本体の長手方向となる幅内に納まる略直線的な吸気経路に形成することを特徴とする。
【発明の効果】
【００２６】
本発明のコンバインによれば、機体フレームの左右方向に併設するエンジンとラジエータの上方にエアクリーナを設け、これらエンジンとラジエータとエアクリーナを覆うエンジンカバーの前方に運転席を備える操縦部を設けるコンバインにおいて、前記エアクリーナの後方にその後方から外気を取り込む吸気室を設け、この吸気室の吹出口にエアクリーナの吸気口を結合して、吸気室の後方から取り込んだ外気をエアクリーナによって清浄化してエンジンに供給する。
【００２７】
従って、エアクリーナの後方に設ける吸気室は自らの後方から外気を取り込み、また、エアクリーナは後方に設ける吸気室内のエアをその吸気口から取り込んでエンジンに供給することができる。そして、この吸気室に取り込む外気は、刈取部によって引き起こしながら刈り取る穀稈等から発生し、その後、走行に伴って左右に流れてエンジンカバーやグレンタンクの側面に沿って浮遊しながら徐々に落下する藁屑等を含む外気とは距離的にも離れて、また、取り込む方向も異なる塵埃の少ない外気となるから、エアクリーナの早期の目詰まりを防止して、エンジンに清浄なエアを長時間にわたって供給することができる。
【００２８】
また、エアクリーナはその吸気口を吸気室の吹出口に結合するものの、エアクリーナ自体は吸気室に収容する訳ではなく、エンジンやラジエータと共にエンジンカバーによって周囲を覆ったエンジンルーム内に設けるものであるから、エンジンやラジエータとエアクリーナとを従来のように仕切板を設けて両者を隔絶する必要がなくなり、また、エアクリーナを収容する大容積の吸気室も不要となり、エンジンルームを至って簡素なカバー構造になしてコストダウンを図ることができる。
【００２９】
なお、繰り返しになるが、エアクリーナは自らの後方から外気を取り込んだ吸気室内のエアをその吸気口から取り込んでエンジンに供給する一方、エンジンや自らを収容するエンジンルーム内の高温となったエアをその吸気口から取り込んでエンジンに供給するものではないから、エンジンが高温のエアを吸引してエンジン性能に影響を及ぼし、エンジンのコンバインへの搭載条件を満たさなくなる虞を無くすことができる。
【００３０】
しかも、エアクリーナを収容する大容積の吸気室を無くすことによってエンジンカバーの例えば、前部カバーを取り外せば、エアクリーナと共にエンジンを外部に露出させることができ、また、この状態でエアクリーナを取り外せばエンジンの上方側に遮るものが無くなって、エンジンの点検、或いはその構成部品の交換修理を行うスペース（点検空間）を設けることができ、エンジン等のメンテナンス性を向上させることができる。
【００３１】
また、前記エンジンとラジエータとエアクリーナの機体後方側を覆う後部カバーの上部寄りに、後部カバーの後方の外気を取り込む取入口を備えるエアダクトを取り付けて吸気室を構成すると、エアダクトを後部カバーを利用して取り付け、エアダクトを余計な取付部材を設けることなく安価にエンジンルームとは隔絶した吸気室に構成することができる。
【００３２】
しかも、エアダクトは後部カバーの上部寄りに取り付けるから、エアダクトの外気の取入口は塵埃の浮遊の少ない高所に設けることができ、これによってエアクリーナの早期の目詰まりを防止することができる。また、エンジンの冷却排風の吹き返しに伴う後部カバーの後面側への回り込みに対しても、エアダクトの外気の取入口を高所に設けることによって高温となる冷却排風の取り込みを抑制することができる。
【００３３】
また、前記後部カバーとその後方に設けるグレンタンクの前面との間に遮蔽体を設け、この遮蔽体によってエンジンの冷却後の排風のエアダクト内への回り込みを少くすると、エアダクト内への冷却排風の取り込みをより一層抑制することができると共に、この遮蔽体によって機体中央寄りの脱穀部の入口部等において発生する藁屑等のエアダクト内への吸い込みを阻止することができる。
【００３４】
さらに、前記エアダクトの取入口に防塵体を設けると、藁屑等のエアダクト内への吸い込みを確実に阻止することができる。また、前記エアダクトの取入口に設ける防塵体とエアクリーナの吸気口との間に抵抗板を設け、この抵抗板によってエアクリーナの吸気口の直前面側からの吸気量を抑制して防塵体の局所的な目詰まりを防止すると、エアダクトの取入口に作用する吸気圧に基づく吸気量の差異を抵抗板によって均等化し、特にエアクリーナの吸気口の直前面側に臨む防塵体の局所的な藁屑等の目詰まりを防止して、外気の取入面積を確保しながら防塵体のメンテナンス頻度を少なくすることができる。
【００３５】
また、前記エアクリーナは、そのケーシングに設けるフィルタ取出口が機体外側方を向き、また、先端に吸気口を備える吸気管が機体後方を向くようにエンジンとラジエータの上方に設けると共に、このフィルタ取出口を蓋するキャップとラジエータの前面側を開閉自在な側部カバーで覆うと、エアクリーナとラジエータの機体外方側を側部カバーによって覆い、エンジンの冷却排風の機体外方側への吹き出しを防止することができる。
【００３６】
そして、この側部カバーを開くとエアクリーナとラジエータの前面側は開放されるから、エアクリーナのキャップを取り外してフィルタ取出口からフィルタエレメントを引き出してフィルタを清掃したり、新しいフィルタエレメントに交換することができ、また、同時にラジエータのコアやフィンに付着した塵埃をエアダスター等を用いて清掃することができる。なお、この場合、エアクリーナの吸気管は機体後方を向くから吸気管がキャップやフィルタエレメントの取り外しに邪魔になることはない。
【００３７】
また、前記エアダクトを六面体の一面を開放する角ダクトに構成すると共に、エアクリーナのフィルタ取出口を蓋するキャップに臨む角ダクトの一面を斜め外側方に向けて拡開させると、エアクリーナのフィルタ取出口を蓋するキャップの取り外しスペースを角ダクトの一面側に確保しながら、余ったデッドスペースをエアダクトの取入口を含む吸気室の容積の拡大に利用して、エアダクトに設ける防塵体への目詰まりを少なくすることができる。
【００３８】
なお、角ダクトの機体内方側となる側面は前後方向の側面として吸気室の必要な容積を確保し、また、その側面の機体内方側の余ったスペースにエンジンの燃料噴射制御等を行うエンジンＥＣＵを取り付けることができる。
【００３９】
また、前記エアクリーナをエンジンカバーを取り付けるカバーフレームに着脱自在に取り付けると共に、その吸気管を吸気室の吹出口に抜き差し自在に設け、また、エアクリーナホースをエンジンの吸気管に着脱自在に設け、さらに、このエアクリーナホースと共に取り外したエアクリーナをエンジン等の機体前方側を覆う前部カバーを取り外した点検口から取り出せるように構成すると、エンジンの上方側を開放してエンジンを露出した状態でメンテナンスを行うことができると共に、エアクリーナとエアクリーナホースをエンジンルームから取り出してメンテナンスを行うことができる。
【００４０】
そして、この場合、先ずエンジンカバーの内、側部カバーを開いて機体の外側方からエアクリーナをカバーフレームから取り外す。次に、カバーフレームから前部カバーを取り外した点検口からエアクリーナホースをエンジンの吸気管から取り外す。その後、エアクリーナを前方に引くとエアクリーナの吸気管は吸気室から抜け出て、エアクリーナホースと共にエアクリーナを点検口から取り出すことができる。
【００４１】
そのため、エンジンとラジエータの上方に設けるエアクリーナとエアクリーナホースは比較的簡単にエンジン等の上方から取り除くことができ、エンジンやエアクリーナの整備性を向上させることができる。また、点検・交換修理した後、逆の手順を踏めば比較的簡単にエンジン等の上方にエアクリーナとエアクリーナホースを元通り取り付けることができるから、整備時間を短縮することができる。
【００４２】
また、前記エアクリーナの吐出管からエンジンの吸気管にエアを導くエアクリーナホースを、エアクリーナ本体の長手方向となる幅内に納まる略直線的な吸気経路に形成すると、カバーフレームから前部カバーを取り外した点検口からエアクリーナとエアクリーナホースをアッセンブリーとして出し入れすることが可能となると共に、エアクリーナホースは、エアクリーナとエンジンとを略直線的な吸気経路によって接続し、エアクリーナホース長さを短くして重量も軽減することができる。
【図面の簡単な説明】
【００４３】
【図１】コンバインの右斜め後方側から見た斜視図である。
【図２】コンバインの左斜め前方側から見た斜視図である。
【図３】原動部の右斜め後方側から見た斜視図である。
【図４】原動部の左斜め前方側から見た斜視図である。
【図５】原動部の左斜め後方側から見た斜視図である。
【図６】原動部の背面図である。
【図７】後部寄りを断面とする原動部の平面図である。
【図８】原動部のカバーフレームを示す斜視図である。
【図９】エンジン等の搭載状態を示す正面図である。
【図１０】エンジン等の搭載状態を示す背面図である
【図１１】運転席を取り外した状態を示す原動部の斜視図である。
【図１２】前上カバーを取り外した状態を示す原動部の斜視図である。
【図１３】エアクリーナ等を取り外す前の状態を示す原動部の斜視図である。
【図１４】エアクリーナ等を取り外した状態を示す原動部の斜視図である。
【発明を実施するための形態】
【００４４】
本発明の実施形態を図面に基づいて説明する。図１及び図２に示すように稲や麦を刈取りながら脱穀する４条刈り乃至５条刈りの自脱型コンバイン１は、略矩形状に枠組みする機体フレーム（機体）２の下方に走行フレーム３を介して左右のクローラ走行装置を設ける。なお、左右のクローラ走行装置は、トランスミッションケース４の左右から突出する駆動軸に取り付ける駆動スプロケット５と、走行フレーム３に軸支するアイドルホイール６及びトラックローラ７と、これらに巻回するゴムクローラ８を備える。
【００４５】
また、機体フレーム２の機体前進方向の右側前部に略直方体状に枠組みする運転フレーム９を一体的に連結し、この運転フレーム９及びその後方の機体フレーム２にかけて操縦部１０を設ける。なお、操縦部１０はフロア１１の後方に運転席１２を設け、また、フロア１１の前部にはフロントコンソール（前部操作盤）１３を、フロア１１と運転席１２の左側にはサイドコンール（側部操作盤）１４を設ける。
【００４６】
また、機体フレーム２の左側前部から操縦部１０の前方にかけて刈取部１５を図示しない油圧シリンダによって昇降自在に設ける。そして、刈取部１５は、その前端下部に設ける分草体１６とナローガイド１７によって、圃場の立毛穀稈を刈取穀稈と未刈取穀稈とに区分けし、左右の分草体１６の間に入った刈取穀稈を引起爪を備える引起装置１８によって引起し、その後、突起付き掻込ベルトとスターホイールで構成する掻込装置で寄せ集めながら穀稈の株元をレシプロ方式の刈刃装置１９によって切断する。
【００４７】
さらに、刈刃装置１９によって切断して刈取った穀稈は、掻込装置のスターホイールと突起付き株元搬送チェンで後方に送り、後方に送った穀稈の株元側は突起付き搬送チェーンで構成する株元搬送装置と扱深さ搬送装置２０と補助搬送装置２１によって後上方に向けて搬送し、また、穀稈の穂先側はこれらの上方側に設ける穂先搬送装置２２の搬送チェーンに取り付ける搬送爪に係止して搬送する。
【００４８】
また、脱穀部２３は、刈取部１５後方の機体フレーム２の左側に設け、その上方を覆うシリンダーカバー２４の下方に第１と第２の扱室を設ける。この内、第１扱室には刈取部１５から搬送してきた穀稈を扱口に沿って搬送する脱穀フイードチェン２５とその挟持レール２６、扱歯を備える第１扱胴とその受網等を設ける。また、第２扱室は第１扱胴の後端穂先側より機体の後方に向かうように第１扱室に併設し、第１扱室で脱粒処理しきれなかった穀粒の混ざった藁屑等を処理する第２扱胴とその受網を設ける。さらに、扱室の下方には選別室を設ける。
【００４９】
この選別室には揺動運動する揺動流板、１番螺旋及び２番螺旋、唐箕ファン及び吸引排塵ファン等を設け、扱室の受網より漏下した穀粒等を揺動流板上において選別し、選別した穀粒は１番螺旋から揚穀螺旋を備える揚穀装置２７を介してグレンタンク２８に移送し、藁屑等が混じった２番物は２番螺旋から２番還元螺旋を介して揺動流板上に戻す。また、揺動流板の終端に至った藁屑、吸引排塵ファンに捕捉された藁屑、或いは第２扱胴の終端から排出された藁屑は、脱穀部２３の後部から機外に排出する。
【００５０】
さらに、前記グレンタンク２８は、操縦部１０の後方に設けるディーゼルエンジン等から構成する原動部２９のさらに後方に設け、揚穀装置２７によって移送された穀粒を一時的に貯留する。また、グレンタンク２８内に穀粒が満杯になると、グレンタンク２８の下部に設ける横ラセンとグレンタンク２８の後方に旋回並びに昇降自在に設ける排出オーガ３０の縦パイプ３１内に設ける縦ラセンを駆動して、グレンタンク２８から穀粒を機外のコンテナ等に放出する。
【００５１】
そして、脱穀処理を完了して扱室から排出される排稈は、突起付き株元排藁チェーンとその挟持レールと搬送爪付き穂先排藁チェーン等で構成する排藁搬送装置によって機体の後部に設けるディスク型カッター３２に向けて右斜め後方に移送する。また、ディスク型カッター３２は排藁搬送装置によって移送した排稈を、カッター３２の後方へそのまま排出したり、カッター３２によって細断して刈取跡地に切藁として放出する。
【００５２】
次に、機体の各部を駆動する原動部２９について説明すると、図９、図１０、及び図１３等に示すように原動部２９は、立形水冷４ストロークディーゼルエンジン３３を備える。そして、このエンジン３３は、コンバイン１の各部を駆動する出力プーリ３４が機体フレーム２の中央側に、また、クーリングファン３５が機体フレーム２の右側となるように、そのクランクシャフトを機体の左右方向となして防振ゴム３６を介して機体フレーム２に搭載する。
【００５３】
また、このディーゼルエンジン３３は、排気ガス規制に対応するためにサプライポンプで高圧にした燃料をレール（蓄圧室）内に蓄え、エンジンＥＣＵ制御のもとにタイミングよくインジェクタから各気筒に適切な量の燃料を噴射するコモンレールシステムを採用し、これにより高い燃料噴射圧力により燃料を微粒にして、燃料の燃え残りを少なくして粒子状物質の発生を抑える。
【００５４】
さらに、強制的に密度の高い空気を送り込むターボチャージャと空冷式のインタークーラを設け、エンジンの出力アップ、燃費の改善、及び二酸化炭素と粒子状物質の排出量を低減する。また、ＥＧＲバルブ、絞りバルブ、高温になる排気ガスの温度を下げる水冷式のＥＧＲクーラー等によって排気ガスの一部をエンジン３３に再循環させるＥＧＲシステムを採用し、これによりエンジンの燃焼温度を下げることで窒素酸化物の発生を抑える。
【００５５】
そして、排気ガス規制の更なる強化にともなって、排気に含まれる粒子状物質をフィルターで捕らえる共に、ＤＰＦ再生して燃焼処分するＤＰＦシステムを用いた排気ガス浄化装置（後処理装置）を採用し、ここでディーゼル酸化触媒（ＤＯＣ）とディーゼル微粒子捕集フィルター（ＤＰＦ）を内蔵するＤＰＦケースは、エンジン３３後方の脱穀部２３とグレンタンク２８の間の空きスペースに設ける。
【００５６】
一方、エンジン３３のクーリングファン３５の前方には、エンジン３３の冷却水を空冷するラジエータ３７を設ける。このラジエータ３７は、後述するラジエータ枠３８の開孔３８ａに臨む内面に取付け、また、ラジエータ３７の背面にはファンシュラウド３９を設ける。そして、クーリングファン３５によって吸い込まれたエアは、ラジエータ３７のコアとフィンの間を通過する間にエンジン３３の冷却水を冷し、更にエンジン３３をその排風によって冷却する。
【００５７】
また、ラジエータ枠３８の開孔３８ａの前面側には、防塵網と共にオイルクーラやインタークーラ等の熱交換器を設け、これらの熱交換器もラジエータ３７と同様にクーリングファン３５によって吸い込まれたエアによって各媒体を冷やすことができる。なお、クーリングファン３５は、図示しない電動モータによって切り換える正転プーリと逆転プーリによって、その回転を正逆に切り換える正逆転機構を備え、定期的にクーリングファン３５を逆回転させてラジエータ３７のコアやフィン、或いは防塵網等に付着した塵埃を機体外方側に吹き飛ばすことができる。
【００５８】
さらに、ラジエータ３７とエンジン３３の略真上にはエアクリーナ４０を設ける。このエアクリーナ４０は、その長手方向を左右方向としてフィルタ取出口４０ｂが機体外側方を向き、その内部にフィルタエレメントを内装するケーシング４０ａと、そのケーシング４０ａにクランプで着脱自在になしフィルタ取出口４０ｂを蓋するキャップ４０ｃと、キャップ４０ｃに設けるバキュエータバルブ４０ｄと、先端に吸気口４０ｅを備えて機体後方を向く吸気管４０ｆと、ケーシング４０ａの左端に設けて下方に向かうエルボにエアフローセンサ４１を設ける吐出管４０ｇを備え、エアクリーナ４０の吐出管４０ｇとエンジン３３の吸気管３３ａには、エアクリーナホース４２の両端をクランプで固定して接続する。
【００５９】
次に、前述のエンジン３３とラジエータ３７とエアクリーナ４０等から構成する原動部２９をエンジンカバーによって覆いエンジンルームを構成する原動部のカバー構造について説明する。先ず、エンジンカバーを取り付けるカバーフレーム４３は、図８に示すように原動部２９の前方に設ける操縦部１０を構成するフレームと共に一体に形成し、主に複数の角パイプを溶接して枠組みする。また、このカバーフレーム４３は、その操縦部１０を構成する前部寄りを運転フレーム９の上部に、原動部２９を構成する後部寄りを機体フレーム２の前部寄りの上部にボルトで取り付ける。
【００６０】
そして、カバーフレーム４３は、上下方向となる前右脚４４、中右脚４５、中左脚４６、後右脚４７、後左脚４８と、左右方向となる前上横梁４９、前下横梁５０、中横梁５１、後上横梁５２、後中横梁５３、後下横梁５４と、前後方向となる右前縦梁５５、右後縦梁５６、左前縦梁５７と、後中横梁５３の右中央寄りと運転フレーム９の後上部寄りに両端を取り付けるく字状に屈折する補器取付梁５８等を備える。
【００６１】
また、図３及び図４に示すように、このように構成するカバーフレーム４３の前方寄りの下部にはプレート１１を取り付けて、操縦部１０のフロア１１を構成する。また、フロア１１の前部には前上横梁４９をベースにフロントコンソール１３を設ける。さらに、フロア１１の左側には逆Ｌ字状にプレート５９、６０を組み合わせてサイドコンール１４のベースを構成する。そして、フロア１１の後部には原動部２９の機体前方側を覆う前部カバーを設ける。
【００６２】
そして、この前部カバーは略矩形状になす上方側の前上カバー６１と下方側の前下カバー６２の２つのカバーで構成し、その内、前上カバー６１は、中右脚４５の後上方に傾斜する辺の内側に一体的に取り付けるカバー右取付枠６３と、後上横梁５２と中横梁５１に亘って取り付けるカバー左取付枠６４にボルトで着脱自在に取り付ける。また、前下カバー６２は、カバー右取付枠６３とカバー左取付枠６４と中横梁５１にボルトで着脱自在に取り付ける。
【００６３】
なお、前上カバー６１はその中央部に後方に向かう凹部６１ａを設ける（図１１参照）。そして、この凹部６１ａは、運転席１２のシートクッション（座面）１２ａの後部寄りとシートバック（背凭れ）１２ｂの下部寄りを収容し、これによって運転席１２をフロア１１から後方に離して操縦空間を後方に拡張して、居住性を向上させることができる。
【００６４】
また、カバー左取付枠６４の左方側には点検孔やレバー挿通孔を備えるプレート６５を取り付ける。さらに、前上カバー６１とプレート６５の上方には、やや幅狭ではあるが原動部２９の上方側を覆う上部カバー６６を後上横梁５２に取り付けて設ける。従って、全体から見れば原動部２９の前方側と上方側は、上部カバー６６、後上方に向けて傾斜する前上カバー６１、プレート６５、上下方向となす前下カバー６２、サイドコンール１４のベースプレート５９、６０によって一連に覆うことになる。
【００６５】
次に、原動部２９の機体右側を覆う側部カバー６７について説明すると、図８に示すように側部カバー６７は、中右脚４５と後右脚４７に取り付けるラジエータ枠３８との間にわたって上下のヒンジ６８を設け、その前部寄りを左右に回動自在に取り付ける。そして、側部カバー６７は合成樹脂によって一体成型する所定幅を備えた略矩形状の枠体６７ａを主体として構成し、この枠体６７ａにラジエータ枠３８の開孔３８ａに臨む通風孔６７ｂと、ラジエータ枠３８の上部寄りに設けるエアクリーナ開孔３８ｂに臨む開孔６７ｃを上下に設ける。
【００６６】
そして、この上方の開孔６７ｃは裏面側に取り付ける閉鎖板６９によって閉じるが、下方の通風孔６７ｂの裏面側には多数の小孔を設ける防塵体７０を取り付けて外気を防塵体７０の多数の小孔を通して枠体６７ａの内側に取り込むことができるようにする。なお、枠体６７ａの裏面側の中程には仕切りリブ６７ｄを設け、上方の閉鎖板６９と下方の防塵体７０を設ける内部空間を仕切って、側部カバー６７を閉じて枠体６７ａがラジエータ枠３８に当接する際には、閉鎖板６９を設ける室から防塵体７０を設ける室にエンジン３３の冷却排風が排出されないように遮る。
【００６７】
そして、以上のように構成する側部カバー６７は、後部のヒンジ６８を中心にして機体外側方に向けて開くと、ラジエータ枠３８のエアクリーナ開孔３８ｂを通してエアクリーナ４０のフィルタ取出口４０ｂを蓋するキャップ４０ｃ側を露出させ、このキャップ４０ｃを取り外してフィルタエレメントの掃除や交換を行うことができると共に、エアクリーナ４０のケーシング４０ａに設けるフランジ４０ｈを補器取付梁５８の上部寄りに取り付けるボルトを装脱して、エアクリーナ４０を補器取付梁５８に取付固定したり取り外すことができる。
【００６８】
また、側部カバー６７を開いた際、ラジエータ枠３８の開孔３８ａを通してラジエータ３７の前面側を露出させることができ、ラジエータ３７のコアやフィンに付着した塵埃をエアダスター等を用いて清掃することができる。また、側部カバー６７をラジエータ枠３８に設けるクランプ７１に係止し、更にボルトｂでラジエータ枠３８に取り付けて閉じた際には、側部カバー６７が原動部２９の機体右側を覆うと共に、機体右側からラジエータ３７に向かう冷却風となる外気を防塵体７０を介して取り込むことができる。
【００６９】
次に、原動部２９の機体後側を覆う後部カバーについて説明すると、図３、図５、図６、図７、図１０に示すように後部カバーは、後右脚４７と後左脚４８及び後上横梁５２と後中横梁５３にボルトで取り付ける後部上カバー７２と、後右脚４７と後左脚４８及び後中横梁５３と後下横梁５４にボルトで取り付ける後部下カバー７３とによって構成する。そして、この後部上カバー７２はその中央から右側にやや偏倚して矩形状に切り欠いている。
【００７０】
また、後部上カバー７２の切り欠いた左右の内面側の縁部にエアダクト７４の取付部７４ａを接合し、後部上カバー７２にエアダクト７４をボルトで取り付ける。また、エアダクト７４は上面７４ｂと下面７４ｃを台形とし、右面７４ｄと左面７４ｅと前面７４ｆを長方形となし、更に外気の取入口７４ｇとなる後面を開放する（六面体の一面を開放する）角ダクトで構成する。そして、エアダクト７４の前面７４ｆには丸孔を穿設し、その丸孔の周縁にドーナツ状のウエザーストリップ７５を装着して、このウエザーストリップ７５の中央の孔を外気の吹出口７４ｈとする。
【００７１】
さらに、エアダクト７４の外気の取入口７４ｇには金網で構成する防塵体７６を取り付けると共に、エアダクト７４の上面７４ｂと下面７４ｃに亘ってプレートで構成する抵抗板７７を設ける。また、後部カバー７２、７３と、その後方に設けるグレンタンク２８の前面との間には両者の間に生ずる隙間を塞ぐ遮蔽体を設ける。
【００７２】
そして、この遮蔽体は後左脚４８に沿ってその上部寄りに取り付ける第１のカバー７８と、後部上カバー７２と後部下カバー７３に上下方向として取り付ける第２のカバー７９、８０と、後上横梁５２と第１のカバー７８の上部寄りに取り付ける第３のカバー８１で構成する。また、この内、第１のカバー７８はその上面と折り曲げた下面を鉄板で形成し、残る第２のカバー７９、８０と第３のカバー８１は可撓性を備える天然ゴム或いは合成ゴムによって形成する。
【００７３】
以上、原動部２９のカバー構造について説明したが、次にエンジン３３の吸気系を主体にしてその作用について説明すると、先ず、前述のエアクリーナ４０を補器取付梁５８に取付固定した状態では、エアクリーナ４０の機体後方を向く吸気管４０ｆは、エアダクト７４の前面７４ｆに設けるウエザーストリップ７５に差し込まれて、エアダクト７４の吹出口７４ｈと吸気管４０ｆの吸気口４０ｅは結合している。
【００７４】
そして、この状態でエンジン３３を始動すると、エアダクト７４の取入口７４ｇから取り込んだ外気は、エアダクト７４で囲まれた吸気室Ｒ内に取り込まれ、また、吸気室Ｒ内に取り込まれた微細な塵埃を含むエアは、吸気管４０ｆを介してエアクリーナ４０に取り込まれ、そして、エアクリーナ４０はこの塵埃を取り除いて清浄化したエアを、その吐出管４０ｇとエアクリーナホース４２とエンジン３３の吸気管３３ａを介してエンジン３３に供給する。
【００７５】
また、エンジン３３の始動とともに正転するクーリングファン３５は、閉じている側部カバー６７の防塵体７０を介して取り込んだ外気をラジエータ３７に作用させてエンジン３３の冷却水を空冷する。また、冷却水を空冷した冷却風はその後、エンジン３３とエンジンカバーとによって形成される排風通路を通って、エンジンカバーによって覆っていない機体の中央側となる左側、或いはエンジン３３の下方側に流れて機外に排出される。なお、この間に冷却排風はエンジン３３が発生する熱を奪って高温となる。
【００７６】
さらに、クーリングファン３５が逆転すると、クーリングファン３５は、エンジンルーム内のエアをラジエータ３７に吹きかけてコアやフィンに付着した塵埃を側部カバー６７側に吹き落とす。また、側部カバー６７の内側は高圧となって側部カバー６７の防塵体７０の小孔からエアが吹き出すので、防塵体７０に付着した塵埃も除去することができる。
【００７７】
そして、圃場において刈取走行を行う場合、刈取部１５によって穀稈を引き起こしたり搬送する間に藁屑等が発生し、この藁屑は直ぐには落下せず風等の影響も受けて暫く浮遊する。また、浮遊する藁屑等はコンバイン１の走行に伴って機体の左右に分かれて流れ、その内、機体の右側を流れる藁屑等はエンジン３３の側部カバー６７やグレンタンク２８の外側方を通過する間にやがて圃場に落下する。また、機体の左側を流れる藁屑等は脱穀部２３の外側方を通過しながら落下する。
【００７８】
なお、コンバイン１は刈取走行を行う際に、左右の立毛穀稈の間を割りながら刈り取りを行う中割刈りより、右側を既刈地側として反時計回りに刈り取りを行う回刈りを行う頻度が高く、藁屑等の発生量でみると機体の右側の方が左側より少なくなる傾向がある。そのため、エンジン３３に供給する外気は、藁屑等の塵埃の少ない機体の右側から取り込むことが有利であり、更には、機体の右側ではあってもエンジン３３の側部カバー６７やグレンタンク２８の外側方を流れる藁屑を含む外気を取り込まないようにこれらの流れから離れた高所の外気を取り込む必要がある。
【００７９】
そのため、機体の右側のエンジン３３の側部カバー６７やグレンタンク２８の外側面から出来るだけ機体の中央側に離し、尚且つ藁屑を含む外気の機体後方側への流れとは、直接的に関わりを持たず、その流れとは逆行する外気の方が塵埃を含む割合が低くなるから、エアクリーナ４０に取り込む外気は、比較的高い位置に設けることになるエアクリーナ４０の後方であって、且つエアクリーナ４０の後方から前方に向けて取り込む外気であることが望ましい。
【００８０】
そこで、以上の観点から本発明においては、エアクリーナ４０の後方にその後方から外気を取り込む吸気室Ｒを設け、この吸気室Ｒの吹出口７４ｈにエアクリーナ４０の吸気口４０ｅを結合して、吸気室Ｒの後方から取り込んだ外気をエアクリーナ４０によって清浄化してエンジン３３に供給する。そのため、吸気室Ｒに取り込む外気は、機体の右側寄りであっても更に塵埃の少ない外気を取り込むことになって、エアクリーナ４０の早期の目詰まりを防止して、エンジン３３に清浄なエアを長時間にわたって供給することができる。
【００８１】
また、エアクリーナ４０はその吸気口４０ｅを吸気室Ｒの吹出口７４ｈに結合するものの、エアクリーナ４０自体は吸気室Ｒに収容する訳ではなく、エンジン３３やラジエータ３７と共にエンジンカバーによって周囲を覆ったエンジンルーム内に設けるものであるから、エンジン３３やラジエータ３７とエアクリーナ４０とを従来のように仕切板を設けて両者を隔絶する必要がなくなり、また、エアクリーナ４０を収容する大容積の吸気室も不要となり、エンジンルームを至って簡素なカバー構造になしてコストダウンを図ることができる。
【００８２】
なお、エアクリーナ４０は自らの後方から外気を取り込んだ吸気室Ｒ内のエアをその吸気口４０ｅから取り込んでエンジン３３に供給する一方、エンジン３３や自らを収容するエンジンルーム内の高温となったエアをその吸気口４０ｅから取り込んでエンジン３３に供給するものではないから、エンジン３３が高温のエアを吸引してエンジン性能に影響を及ぼし、エンジン３３のコンバイン１への搭載条件を満たさなくなる虞を無くすことができる。
【００８３】
しかも、エアクリーナ４０を収容する大容積の吸気室を無くすことによってエンジンカバーの例えば、前上カバー６１と前下カバー６２を取り外すせば、エアクリーナ４０と共にエンジン３３を外部に露出させることができ、また、この状態でエアクリーナ４０を取り外せばエンジン３３の上方側に遮るものが無くなって、エンジン３３の点検、或いはその構成部品の交換修理を行うスペースを設けることができ、エンジン３３等のメンテナンス性を向上させることができる。
【００８４】
また、エンジン３３等の機体後方側を覆う後部上カバー７２に、後部カバーの後方の外気を取り込む取入口７４ｇを備えるエアダクト７４を取り付けて吸気室Ｒを構成するから、エアダクト７４を後部上カバー７２を利用して取り付け、エアダクト７４を余計な取付部材を設けることなく安価にエンジンルームとは隔絶した吸気室Ｒに構成することができる。
【００８５】
しかも、エアダクト７４は後部上カバー７２に取り付けるから、エアダクト７４の外気の取入口７４ｇは塵埃の浮遊の少ない高所に設けることができ、これによってエアクリーナ４０の早期の目詰まりを防止することができる。また、エンジン３３の冷却排風の吹き返しに伴う後部カバー７２、７３の後面側への回り込みに対しても、エアダクト７４の外気の取入口７４ｇを高所に設けることによって高温となる冷却排風の取り込みを抑制することができる。
【００８６】
さらに、後部カバー７２、７３とその後方に設けるグレンタンク２８の前面との間に遮蔽体７８、７９、８０、８１を設け、この遮蔽体によってエンジン３３の冷却後の排風のエアダクト７４内への回り込みを少くする。そのため、エアダクト７４内への冷却排風の取り込みをより一層抑制することができると共に、この遮蔽体によって機体中央寄りの脱穀部２３の入口部等において発生する藁屑等のエアダクト７４内への吸い込みを阻止することができる。
【００８７】
なお、遮蔽体の内、第２のカバー７９、８０と第３のカバー８１は可撓性を備える天然ゴム或いは合成ゴムによって形成する。これは、グレンタンク２８と脱穀部２３との間に設ける伝動装置や後部下カバー７３を取り外してエンジン３３をメンテナンスする場合に、邪魔になるグレンタンク２８を排出オーガ３０の旋回中心のもとに回動させた際に、グレンタンク２８の前面が遮蔽体７９、８０、８１を押しても、遮蔽体がその可撓性によって退避して、グレンタンク２８の回動を阻害しないようにするためである。
【００８８】
しかし、グレンタンク２８の前面との間により多くの隙間を許容することが可能ならこれ等の遮蔽体７９、８０、８１を鉄板で形成してもよい。また、遮蔽体はエアダクト７４の取入口７４ｇに対して左側とその左側の上方側に設けるが、左側の下方側に遮蔽体を設けて塵埃を含んだ排風の吹き上がりを阻止してもよい。
【００８９】
また、エアダクト７４の外気の取入口７４ｇには防塵体７６を設ける。そのため、仮に藁屑等の大きなごみがエアダクト７４内へ吸い込まれようとする際に、この防塵体７６は大きなごみのエアダクト７４内への侵入を阻止し、また、エンジン３３の停止と共に防塵体７６に付着したごみは下方に落下して取り除かれる。
【００９０】
さらに、エアダクト７４の取入口７４ｇに設ける防塵体７６とエアクリーナ４０の吸気口４０ｅとの間に抵抗板７７を設ける。そして、この抵抗板７７によってエアクリーナ４０の吸気口４０ｅの直前面側からの吸気量を抑制して防塵体７６の局所的な目詰まりを防止する。即ち、エアダクト７４の取入口７４ｇに作用する吸気圧は、エアクリーナ４０の吸気口４０ｅの直前面に臨むほど低くなり、それから離れるほど高くなり、逆に外気の吸気量は吸気口４０ｅの直前面に臨むほど多くなって、防塵体７６の局所的な目詰まりを生じさせる。
【００９１】
そこで、エアダクト７４の取入口７４ｇに作用する吸気圧に基づく吸気量の差異を抵抗板７７によって均等化し、エアクリーナ４０の吸気口４０ｅの直前面側に臨む防塵体７６の局所的な藁屑等の目詰まりを防止して、エアダクト７４の外気の取入がその取入口７４ｇの全面域となることを確保して、防塵体７６にこびり付いた塵埃の除去作業の頻度を少なくすることができるようにする。
【００９２】
なお、エアダクト７４は、エアクリーナ４０のフィルタ取出口４０ｂを蓋するキャップ４０ｃに臨む右側面７４ｄを斜め外側方に向けて拡開させて、エアダクト７４の取入口７４ｇを含む吸気室Ｒの容積を拡大させている。そのため、抵抗板７７は拡開させた取入口７４ｇ側からも外気を取り込むことができるようにエアダクト７４の右側面７４ｄに略平行となるように傾けてエアダクト７４内に設ける。しかし、抵抗板７７はエアクリーナ４０の吸気口４０ｅに平行に対面させて設けてもよく、また、抵抗板７７に小孔を穿設して、この小孔を通して外気を多少吸い込ませてもよい。なお、エアダクト７４の左側面７４ｅの左側には、図示しないがエンジン３３の燃料噴射制御等を行うエンジンＥＣＵを設ける。
【００９３】
以上、エンジン３３の吸気系を主体にして原動部２９の作用について説明したが、次に、エンジン３３等のメンテナンス方法について以下に説明する。先ず、前述のようにエアクリーナ４０やラジエータ３７の点検を行う場合は側部カバー６７を開いて行う。そして、エアクリーナ４０であれば、クランプを外してキャップ４０ｃを取り外しフィルタエレメントを取り出し、エアダスター等を用いて塵埃の除去やフィルタエレメントの交換を行う。
【００９４】
なお、キャップ４０ｃの脱着を行う際には、エアダクト７４のキャップ４０ｃに臨む右側面７４ｄは後方に向けて斜め外側方に向けて拡開させているから、クランプの掛け外しの空間を確保することができてエアダクト７４が邪魔になることはない。また、バキュエータバルブ４０ｄはエンジン３３の停止に伴ってエアクリーナ４０内が正圧になることによってバルブが開き、捕捉した塵埃を放出してエンジンルーム内から地上に落下させる。しかし、バルブ内に塵埃が残っている際には手動でバルブを開くと塵埃を放出することができる。また、ラジエータ３７に付着する塵埃の除去もエアダスター等を用いて同時に行うことができる。
【００９５】
また、ラジエータ３７のリザーバータンク等の点検を行う場合は、グレンタンク２８を回動させて作業空間を確保し、ノブ付きボルトを外して後部下カバー７３を取り外すとエンジン３３等の原動部２９の後面側が開放されるので、ラジエータ枠３８に取り付けてあるリザーバータンク８２の冷却水のレベルを確認し、また、不足しているのであればキャップを外して注水する。また、エンジン３３のオイルフィルタ８３の点検も同時に行うことができる。なお、エンジン３３の燃料フィルタやセジメンタ等は運転フレーム９に設けており、燃料タンクは機体フレーム２の右側後部に設けているので、当該箇所で点検を行う。
【００９６】
さらに、エンジン３３の上面側に設ける排出ガス再循環システムの配管及びＥＧＲクーラーホース、インテークマニホールド、イグゾーストマニホールド、或いはエアクリーナ４０の吐出管４０ｇに設ける吸入空気量を測定するエアフローセンサ４１等の点検や修理交換を行う場合には、先ず、側部カバー６７を開いてエアクリーナ４０を補器取付梁５８に取り付けているボルトを取り外す。また、前上カバー６１と前下カバー６２に取り付けている運転席１２を図１１に示すように取り外したうえで、これらのカバー６１、６２をカバーフレーム４３から取り外す。
【００９７】
そして、カバー６１、６２を取り外すと図１２に示すようにエンジン３３の前面側を臨むことができるので、エンジン３３の吸気管３３ａからクランプを外してエアクリーナホース４２を取り外す。或いはエアフローセンサ４１とエンジンＥＣＵとを接続するコネクタを取り外す。そこで、エアクリーナ４０を前方に引くとエアクリーナ４０の吸気管４０ｆは吸気室Ｒから抜け出て、エアクリーナホース４２と共にエアクリーナ４０を前上カバー６１を取り外した後の点検口から取り出すことができる（図１４参照）。
【００９８】
なお、この際、エアクリーナ４０の吐出管４０ｇからエンジン３３の吸気管３３ａにエアを導くエアクリーナホース４２は、エアクリーナ４０本体の長手方向となる幅ｈ内に納まる略直線的な吸気経路に形成するから、前上カバー６１を取り外した後の広幅な点検口からエアクリーナ４０とエアクリーナホース４２をアッセンブリーとして簡単に出し入れすることができる。
【００９９】
また、エアクリーナホース４２は、エアクリーナ４０とエンジン３３とを略直線的な吸気経路によって接続しているから、エアクリーナホース４２の長さを短くして重量を軽くすることができる。なお、エアクリーナホース４２はエンジン３３の給油プラグ３３ｂを避けて配管する（図７参照）ことになるので、エンジンオイルの交換のために前上カバー６１を取り外して給油プラグ３３ｂを脱着する際にエアクリーナホース４２を取り外す必要はない。
【０１００】
さらに説明を続けると、このようにエアクリーナ４０とエアクリーナホース４２をアッセンブリーとして取り出すと、エンジン３３の上方側を開放してエンジン３３を露出した状態で各部のメンテナンスを行うことができる。また、取り出したエアクリーナ４０とエアクリーナホース４２を機外において何らの制約を受けずにメンテナンスを行うことができる。
【０１０１】
従って、上述の手順を踏むことで、エンジン３３とラジエータ３７の上方に設けるエアクリーナ４０とエアクリーナホース４２は比較的簡単にエンジン３３等の上方から取り除くことができ、エンジン３３やエアクリーナ４２の整備性を向上させることができる。また、点検・交換修理した後、逆の手順を踏めば比較的簡単にエンジン３３等の上方にエアクリーナ４０とエアクリーナホース４２を元通り取り付けることができるから、整備時間を短縮することができる。
【０１０２】
なお、前記実施形態において、操縦部１０はキャビンで覆っていないが、実施形態のカバーフレーム４３をキャビン仕様のフレームに修正を加えれば、操縦部１０をキャビンで覆うことが比較的簡単にできる。また、エアクリーナホース４２とエアクリーナ４０の吐出管４０ｇとの結合や、ラジエータ３７をエンジン３３を繋ぐラジエータホースの結合を取り外したうえで、後左脚４８側を中心にしてカバーフレーム４３を機体外側方へ回動できるようになすと、エンジン３３を完全に露出させて点検修理、或いは搭載替えを行うことも容易に行うことができ、本発明は、前記実施形態に限定されるものではない。
【符号の説明】
【０１０３】
１      コンバイン
２      機体フレーム
３３    エンジン
３７    ラジエータ
４０    エアクリーナ
４２    エアクリーナホース
６１    前上カバー（前部カバー）
６７    側部カバー
７２    後部上カバー（後部カバー）
７４    エアダクト
７６    防塵体
７７    抵抗板
７９    遮蔽体
Ｒ      吸気室
【図１】
2020103109.tif 000003
【図２】
2020103109.tif 000004
【図３】
2020103109.tif 000005
【図４】
2020103109.tif 000006
【図５】
2020103109.tif 000007
【図６】
2020103109.tif 000008
【図７】
2020103109.tif 000009
【図８】
2020103109.tif 000010
【図９】
2020103109.tif 000011
【図１０】
2020103109.tif 000012
【図１１】
2020103109.tif 000013
【図１２】
2020103109.tif 000014
【図１３】
2020103109.tif 000015
【図１４】
2020103109.tif 000016